(57)【要約】      （修正有）【課題】異なる規格を有する交換可能な支持スタンドを備えた充電器を提供する。【解決手段】ベース１００は、複数の支持スタンド３００のうちの１つと連結する連結部１１０を含む。複数の支持スタンドのそれぞれは、異なる規格を有する支持容器を有する。連結部は、連結面１１１を有する。連結面は、支持スタンドのうちの１つを支持するために用いられる。充電回路は、ベースに配置され、充電回路は、第１の電気コネクタ２１０を有する。第１の電気コネクタは、連結面から突出する。連結部１１０が支持スタンド３００と連結されると、第１の電気コネクタ２１０の一部が、支持容器に配置される。【選択図】図２
0003181960.tif 000002
【実用新案登録請求の範囲】
【請求項１】
それぞれが異なる規格を有する支持容器を有する複数の支持スタンドのうちの１つと着脱可能に連結し、前記複数の支持スタンドのうちの１つを支持するために用いられる連結面を有する連結部を備えるベースと、
前記ベースに配置され、第１の電気コネクタを備える充電回路と、を備え、
前記第１の電気コネクタは、前記連結面から突出し、前記連結部が前記支持スタンドのうちの１つと連結されると、前記第１の電気コネクタの一部が前記支持容器内に配置される、
充電器。
【請求項２】
前記連結部は、前記連結面の２つの対向する側部に配置された２つの固定用部品を備え、前記支持スタンドは、前記支持スタンドの２つの対向する側部に配置された２つの固定用凹部を備え、前記２つの固定用部品は、前記支持スタンドがベース上に着脱可能に固定されるように前記２つの固定用凹部に対応して固定されるために用いられ、前記第１の電気コネクタの一部は、前記支持容器に配置されることを特徴とする請求項１に記載の充電器。
【請求項３】
前記ベースは、複数の電池ボックスのうちの１つと着脱可能に連結される連結用凹部をさらに備えることを特徴とする請求項１に記載の充電器。
【請求項４】
前記充電回路は、前記連結用凹部に配置された第２の電気コネクタをさらに備え、前記電池ボックスは、前記連結用凹部に着脱可能に設置されるために用いられ、前記電池ボックスのそれぞれは、収容用凹部及び第３の電気コネクタを有し、前記第３の電気コネクタの一部は、前記収容用凹部に配置され、前記第３の電気コネクタは、前記第２の電気コネクタに着脱可能かつ電気的に接続されるために用いられ、前記収容用凹部は、少なくとも１つの電池を収容するために用いられることを特徴とする請求項３に記載の充電器。
【請求項５】
前記電池ボックスのそれぞれは、第１の嵌合部及び第２の嵌合部を備え、前記第１の嵌合部及び第２の嵌合部は、前記電池ボックスのうちの１つの２つの対向する側部に配置され、前記ベースは、第３の嵌合部及び第４の嵌合部を備え、前記第３の嵌合部及び前記第４の嵌合部は、前記連結用凹部の２つの対向する側部に配置され、前記第１の嵌合部は、前記第３の嵌合部に固定され、前記第２の嵌合部は、前記第４の嵌合部に固定されることを特徴とする請求項４に記載の充電器。
【請求項６】
前記第１の嵌合部は、凸状のブロックであり、前記第３の嵌合部は、凹状のくぼみであることを特徴とする請求項５に記載の充電器。
【請求項７】
前記ベースは、前記連結用凹部の周囲に連結された上面を備え、前記第２の嵌合部は、弾性部品及び凸状のブロックを備え、前記弾性部品は、互いに連結された固定部と解放部を有し、前記固定部は、前記電池ボックスのうちの１つと連結され、前記固定部は、前記電池ボックスのうちの１つと前記ベースとの間に位置付けされ、前記凸状のブロックは、前記連結用凹部に面する前記固定部の表面に配置され、前記解放部の一部は、前記上面から突出し、前記第４の嵌合部は、凹状のくぼみであり、前記凸状のブロックは、前記第４の嵌合部に面し、前記凸状のブロックは、前記弾性部品によって前記第４の嵌合部１６０と正常に固定され、前記解放部は、前記凸状のブロックを前記第４の嵌合部から相対的にさらに離して動かすために用いられることを特徴とする請求項５に記載の充電器。
【考案の詳細な説明】
【技術分野】
【０００１】
本考案は、充電器に関し、特に、異なる規格を有する交換可能な支持スタンドを備える充電器に関する。
【背景技術】
【０００２】
絶え間なく発展する技術のおかげで、新型の改良されたコンピュータ、通信及び家庭用電気製品が市場に導入されている。携帯用電気製品は、次第に日常生活の必要不可欠な道具となっている。携帯用電気製品には、携帯電話、タブレット型コンピュータ、携帯用コンピュータ、携帯用スキャナー、デジタルカメラ等が含まれる。
【考案の概要】
【考案が解決しようとする課題】
【０００３】
通常の電気製品とは異なり、携帯用電気製品は、充電用ソケットを備えていないため、携帯用電気製品は、充電器を用いて充電しなければならない。しかしながら、複数の携帯用電気製品は、ブランドや型、モデルなどが異なるため形状や規格が異なり、さらには、異なるメーカーによって製造された充電器は、通常、特定のモデルの電気製品に用いられるため、ユーザは、所有する電気製品に対応する充電器を複数購入しなければならない。
つまり、同じ充電器を複数の電気製品で共有できないため、ユーザは、複数の異なる電気製品に対応して充電を行うために異なる充電器の購入を強いられる。さらに、ユーザが旅行出かける場合、ユーザは、電気製品の充電が切れた場合の電気製品の充電を確保できるようにするために、複数の電気製品に対して複数の充電器を持参しなければならない。
そのため、様々な電気製品用の充電器を開発することが強く求められている。
【課題を解決するための手段】
【０００４】
本開示の一実施形態において提供される充電器は、ベースと充電回路を備える。前記ベースは、複数の支持スタンドのうちの１つと着脱可能に連結するための連結部を備える。前記複数の支持スタンドのそれぞれは、異なる規格を有する支持容器を有する。前記連結部は、連結面を有する。前記連結面は、前記複数の支持スタンドのうちの１つを支持するために用いられる。前記充電回路は、前記ベースに配置され、前記充電回路は、第１の電気コネクタを有する。前記第１の電気コネクタは、前記連結面から突出する。前記連結部は、前記支持スタンドと連結され、前記第１の電気コネクタの一部は、前記支持容器に配置される。
【図面の簡単な説明】
【０００５】
【図１】本開示の一実施形態に係る充電器の概略的斜視図である。
【図２】図１の分解斜視図である。
【図３Ａ】図１の使用法の説明図である。
【図３Ｂ】図１の使用法の説明図である。
【図３Ｃ】図１の使用法の説明図である。
【図４】本開示の他の実施形態に係る充電器の分解斜視図である。
【考案を実施するための形態】
【０００６】
本開示は、以下に示した本明細書の詳細な説明からさらによく理解されるが、詳細な説明は、単なる例示に過ぎず、本開示を制限するものではない。
【０００７】
本開示の詳細な特徴及び利点を、次の実施形態を通して以下に詳細に説明するが、当業者にとってその詳細な説明の内容は、本開示の技術内容を理解し、かつ、その内容に従って本開示を実施するために十分なものである。本明細書の内容、請求項の範囲及び、図面に基づいて、当業者は、関連する本開示の目的及び利点を容易に理解することができる。
【０００８】
図１及び図２を参照すると、図１は、本開示の一実施形態に係る充電器の斜視図であり、図２は、図１の分解斜視図である。本実施形態の充電器１０は、ソケットと連結されるプラグ（図には示さず）を有し、充電器１０を介して電気製品を充電することができる。電気製品は、携帯用コンピュータ、携帯用スキャナー、タブレット型コンピュータ、携帯電話などであってもよい。本実施形態では、電気製品として携帯電話を用いるが、本開示に限定されるものではない。
【０００９】
本実施形態の充電器１０は、ベース１００と充電回路２００を備える。ベース１００は、連結部１１０を備える。連結部１１０は、連結面１１１を有する。連結面１１１は、複数の支持スタンド３００のうちの１つを支持するために用いられる。連結部１１０は、複数の支持スタンド３００のうちの１つと着脱可能に連結するために用いられる。支持スタンド３００のそれぞれは、互いに異なる規格を有する支持容器３１０を有する。支持スタンド３００のそれぞれは、支持容器３１０の底部に配置されるとともに支持容器３１０に対応するスロット３２０を有する。
【００１０】
充電回路２００は、ベース１００に配置される。充電回路２００は、第１の電気コネクタ２１０を有する。第１の電気コネクタ２１０は、連結面１１１から突出する。連結部１１０が支持スタンド３００と連結されると、第１の電気コネクタ２１０は、スロット３２０を貫通して、第１の電気コネクタ２１０の一部が支持容器３１０に配置されるようになる。そのため、ユーザは、支持容器３１０の規格にあった電気製品を支持スタンド３００の上において、電気製品を充電することができる。
【００１１】
さらに、様々な電気製品の電気コネクタが同じ型でその形状のみが異なる場合、ユーザは、その電気製品の形状にあった他の支持スタンド３００を代わりに用いるだけでよいため、異なる規格の電気製品を同一の充電器１０で充電することができる。充電器の使用方法は後述する。
【００１２】
本実施形態では、連結部１１０は、２つの固定用部品１２０を有する。２つの固定用部品１２０は、連結面１１１の２つの対向する側部にそれぞれ配置される。支持スタンド３００は、支持スタンド３００の２つの対向する側部にそれぞれ配置された２つの固定用凹部３３０を備える。２つの固定用部品１２０は、支持スタンド３００がベース１００に着脱可能に固定されるように、２つの固定用凹部３３０に対応して着脱可能に固定されてもよい。そのため、ユーザは、固定用部品１２０と固定用凹部３３０との間の上述した固定メカニズムによって素早く支持スタンド３００を取り換えることができる。
【００１３】
本実施形態及び他の実施形態において、ベース１００は、連結用凹部１３０と上面１４０をさらに備える。上面１４０は、連結用凹部１３０の周囲に連結される。連結用凹部１３０は、複数の電池ボックスの１つと連結するために用いられる。さらに、充電回路２００は、連結用凹部１３０に配置された第２の電気コネクタ２２０をさらに備える。電池ボックス４００は、連結用凹部１３０に着脱可能に設置される。
電池ボックス４００のそれぞれは、収容用凹部４１０及び第３の電気コネクタ４４０を有する。収容用凹部４１０は、少なくとも１つの電池３０を収容するために用いられる。第３の電気コネクタ４４０は、電池３０と電気的に接続するために、収容用凹部４１０に配置される。さらに、第３の電気コネクタ４４０は、収容用凹部４１０の外に部分的に露出する。そのため、電池ボックス４００が連結用凹部１３０に着脱可能に設置されると、第３の電気コネクタ４４０は、第２の電気コネクタ２２０と着脱可能かつ電気的に接続される。
【００１４】
以下に、ベース１００と電池ボックス４００との間の固定構造を説明する。電池ボックス４００のそれぞれは、第１の嵌合部４２０及び第２の嵌合部４３０を備える。第１の嵌合部４２０及び第２の嵌合部４３０は、電池ボックス４００の２つの対向する側部にそれぞれ配置される。ベース１００は、第３の嵌合部１５０及び第４の嵌合部１６０を備える。第３の嵌合部１５０及び第４の嵌合部１６０は、連結用凹部１３０の２つの対向する側部にそれぞれ配置される。電池ボックス４００が連結用凹部１３０に設置されると、第１の嵌合部４２０は、第３の嵌合部１５０に固定され、第２の嵌合部４３０は、第４の嵌合部１６０に固定される。
【００１５】
実施形態によっては、第１の嵌合部４２０は、凸状のブロックであり、第３の嵌合部１５０は、凸状のブロックの形状に合う凹状のくぼみである。第２の嵌合部４３０は、弾性部品４３１及び凸状のブロック４３２を備える。弾性部品４３１は、固定部４３１ａと解放部４３１ｂを有する。固定部４３１ａ及び解放部４３１ｂは、互いに連結される。固定部４３１ａは、電池ボックス４００に連結され、固定部４３１ａは、電池ボックス４００とベース１００との間に位置付けされる。
凸状のブロック４３２は、連結用凹部１３０に面する固定部４３１ａの表面に配置される。解放部４３１ｂの一部は、上面１４０から突出する。第４の嵌合部１６０は、凸状のブロック４３２に対応する凹状のくぼみである。凸状のブロック４３２は、第４の嵌合部１６０に面し、凸状のブロック４３２は、弾性部品４３１によって第４の嵌合部１６０に正常に固定される。ユーザは、電池ボックス４００を連結用凹部１３０から取り外すために、解放部４１３ｂを押して凸状のブロック４３２を第４の嵌合部１６０から相対的にさらに離して動かすことができる。そのため、後から他の規格の電池ボックス４００を用いることもできる。
【００１６】
図３Ａ〜図３Ｃを参照すると、図３Ａ〜図３Ｃは、図１の使用法の説明図である。電気製品２０の充電が必要な場合、図３Ａに示したように電気製品２０が第１の電気コネクタ２１０と電気的に接続されるように、電気製品２０を電気製品２０の形状に合った支持スタンド３００の支持容器３１０に配置する。他の電気製品２０’の充電が必要な場合、ユーザは、（図３Ｃに示したように）他の電気製品２０’を充電するために、上述した支持スタンド３００の代わりに（図３Ｂに示したように）ベース１００’の上に他の規格を有する支持容器３１０’を含む他の支持スタンド３００’を用いるだけである。
【００１７】
図１の実施形態の充電器１０は、様々な電気製品の形状が異なるが電気コネクタの型が同じ状況にも適用可能であるが、本開示に限定されるものではない。他の実施形態において、充電器１０は、様々な電気製品の形状及び電気コネクタの型の両方が異なる状況にも適用可能である。図４を参照すると、図４は、本開示の他の実施形態に係る充電器の分解斜視図である。
本実施形態の充電器１０は、ベース１００、充電回路２００、支持スタンド３００及び電池ボックス４００を備える。充電回路２００は、ベース１００に配置される。充電回路２００は、ベース１００の外に配置される第１の電気コネクタ２１０を有する。支持スタンド３００及び電池ボックス４００は、ベース１００に着脱可能に設置されてもよい。さらに、支持スタンド３００は、アダプタ３４０を有する。アダプタ３４０は、電気コネクタであり、アダプタ３４０の規格は、第１の電気コネクタのものと異なる。そのため、ユーザが支持スタンド３００を取り換えると電気コネクタの規格も取り換えられるので、異なる規格を有する電気コネクタを含む電気製品を充電することができる。
【００１８】
本開示に開示した充電器によると、充電器は、異なる規格を有する支持スタンドのうちの１つと着脱可能に連結するためにベースの連結部を用いるので、支持スタンドを取り換えることで様々な電気製品を充電するために用いることができる。
【００１９】
さらに、充電器は、異なる規格を有する電池ボックスのうちの１つと着脱可能に連結するためにベースの連結用凹部を用いるので、電池ボックスを交換することで様々な電池を充電するために用いることができる。
【００２０】
本開示の上述した例示的実施形態は、例示及び説明のためだけに示したものであり、包括的であることを意図するものでも、開示された正確な形に本開示を限定することを  意図するものでもない。上述した教示に照らして、多くの修正及び変更が可能である。
【００２１】
実施形態は、他の当業者による本開示の利用が活性化されるように本開示の原理及びその実用的応用を説明するために選択され説明されるものであり、様々な実施形態及び様々な修正が考えられる特定の利用に対して適当である。本開示がその精神及び範囲を逸脱することなく関連する代替的実施形態が当業者には明らかになる。従って、本開示の範囲は、上述した説明や本明細書に説明した例示的実施形態によってではなく、添付の請求項によって定義されるものである。
【符号の説明】
【００２２】
１０    充電器
３０    電池
１００  ベース
１１０  連結部
１１１  連結面
２００  充電回路
２１０  第１の電気コネクタ
３００  支持スタンド
３１０  支持容器
４００  電池ボックス
【図１】
0003181960.tif 000003
【図２】
0003181960.tif 000004
【図３Ａ】
0003181960.tif 000005
【図３Ｂ】
0003181960.tif 000006
【図３Ｃ】
0003181960.tif 000007
【図４】
0003181960.tif 000008